(57)【要約】      （修正有）【課題】使用者の体から脱落することを抑制する電位測定装置を提供する。【解決手段】電位測定装置は、腰部の筋肉の電位を測定する装置であって、中央処理装置１１、検出ユニット３０、および、スクリーン１５を備える。検出ユニット３０は、使用者の腰部に取り付け可能であり、所定位置に複数のセンサ４０〜５０が設けられており、腰部を収納する収容空間３１、および、太腿が通る腿側開口３２を有する。スクリーン１５は、中央処理装置１１に電気的に接続されており、腰部の運動の姿勢に対応する筋肉の電位の基準値を表す第一画像を表示する第一エリア１６、ならびに、腰部の運動の姿勢に対応する筋肉の電位の測定値を表す第二画像を表示する第二エリア１７を有する。【選択図】図１
0003181547.tif 000002
【実用新案登録請求の範囲】
【請求項１】
腰部（８０）の筋肉の電位を測定する電位測定装置であって、
前記腰部（８０）に取り付け可能であり、所定位置に複数のセンサ（４０〜５０）が設けられており、前記腰部（８０）を収納する収容空間（３１）、および、太腿（８１）が通る腿側開口（３２）を有する検出ユニット（３０）と
前記センサ（４０〜５０）に電気的に接続されており、前記センサ（４０〜５０）から検出された電位信号を処理する中央処理装置（１１）と、
前記中央処理装置（１１）に電気的に接続されており、前記腰部（８０）の運動の姿勢に対応する筋肉の電位の基準値を表す第一画像（１８、１９）を表示する第一エリア（１６）、ならびに、前記腰部（８０）の運動の姿勢に対応する筋肉の電位の測定値を表す第二画像（２０、２１）を表示する第二エリア（１７）を有するスクリーン（１５）と、を備える電位測定装置。
【請求項２】
前記検出ユニット（３０）には、位置合わせマーク（５１）がさらに設けられていることを特徴とする請求項１記載の電位測定装置。
【考案の詳細な説明】
【技術分野】
【０００１】
本考案は電位測定装置に関するものである。
【背景技術】
【０００２】
現在、筋肉の電位を測定する装置は、複数の測定ヘッド（ｈｅａｄ）またはセンサを使用者の筋肉に対応する所定個所に貼り付け、筋肉の使用状況を測定する。
【考案の概要】
【考案が解決しようとする課題】
【０００３】
ところが、使用者が運動中である場合、特に汗が出る場合、測定ヘッドまたはセンサ（ｓｅｎｓｏｒ）は、不安定な状態となり、使用者の体から脱落しやすくなる。
本考案は、上述の問題に鑑みてなされたものであり、その目的は、腰部に取り付けられ、使用者の体から脱落することを抑制する電位測定装置を提供することにある。
【課題を解決するための手段】
【０００４】
本考案による電位測定装置は、腰部（８０）の筋肉の電位を測定する電位測定装置であって、検出ユニット（３０）、中央処理装置（１１）、およびスクリーン（１５）を備える。検出ユニット（３０）は、腰部（８０）に取り付け可能であり、所定位置に複数のセンサ（４０〜５０）が設けられており、腰部（８０）を収納する収容空間（３１）、および、太腿（８１）が通る腿側開口（３２）を有する。中央処理装置（１１）は、センサ（４０〜５０）に電気的に接続されており、センサ（４０〜５０）から検出された電位信号を処理する。スクリーン（１５）は、中央処理装置（１１）に電気的に接続されており、腰部（８０）の運動の姿勢に対応する筋肉の電位の基準値を表す第一画像（１８、１９）を表示する第一エリア（１６）、ならびに、腰部（８０）の運動の姿勢に対応する筋肉の電位の測定値を表す第二画像（２０、２１）を表示する第二エリア（１７）を有する。
【図面の簡単な説明】
【０００５】
【図１】本考案の一実施形態による電位測定装置を示す模式図である。
【図２】本考案の一実施形態による電位測定装置のスクリーンを示す平面図である。
【図３】本考案の一実施形態による電位測定装置の検出ユニットを示す斜視図である。
【図４】本考案の一実施形態による電位測定装置の応用状態を示す平面図である。
【図５】本考案の一実施形態による電位測定装置の応用状態を示す平面図である。
【図６】本考案の一実施形態による電位測定装置のスクリーンを示す平面図である。
【図７】本考案の一実施形態による電位測定装置のスクリーンを示す平面図である。
【図８】本考案の一実施形態による電位測定装置のスクリーンを示す平面図である。
【図９】本考案の一実施形態による電位測定装置のスクリーンを示す平面図である。
【考案を実施するための形態】
【０００６】
（一実施形態）
本考案の実施形態を図面に基づいて説明する。
図１に示すように、本考案の一実施形態による電位測定装置はコンピュータ（ｃｏｍｐｕｔｅｒ）装置（１０）および取り付け装置（３）を備える。コンピュータ装置（１０）は処理ユニットまたは中央処理装置（１１）、および、ディスプレー（１２）を有する。ディスプレー（１２）は各種情報を表すスクリーン（１５）を有する。図２、６〜９に示すように、スクリーン（１５）は、使用者（８）の正面或いは裏面の状態（図４、５）、または、使用者（８）の静止或いは運動の姿勢を表示する。図１、３〜５に示すように、取り付け装置（３）は、検出ユニット（３０）を有する。検出ユニット（３０）は、ゴム（ｇｕｍ）、プラスチック（ｐｌａｓｔｉｃ）、複合材料、布または不織布等材料から作られたフレキシブル（ｆｌｅｘｉｂｌｅ）な取り付けエレメントである。検出ユニット（３０）は使用者（８）の腰部（８０）に取り付けられ（図４、５）、使用者（８）が運動しても脱落しない。検出ユニット（３０）は、使用者（８）の腰部（８０）を収納する収容空間（３１）（図３）、および、太腿（８１）が通る腿側開口（３２）を有する。
【０００７】
図１、３〜５に示すように、複数のセンサー（４０〜４９）は検出ユニット（３０）の内側の面（３４）の所定位置に固定されている。センサー（４１〜４３）は、使用者（８）の腹部および太股に対応する検出ユニット（３０）の前側に設けられている。センサー（４４、４５）は腰部（８０）の側辺に対応する検出ユニット（３０）の側辺に設けられている。センサー（４６〜４９）は、腰部（８０）の他の個所に対応する位置に設けられている（他の箇所は、たとえば腰部（８０）の後側または太股部の後側の部位である）。センサー（５０）は検出ユニット（３０）の内側の面（３４）他の位置に設けられ、使用者（８）の背部に対応している。それはその付近の筋肉の使用状態の測定に用いられる。センサー（４０〜５０）は中央処理装置（１１）に電気的に接続され、検出されたた信号を中央処理装置（１１）へ伝送する。取り付け装置（３）は一つ以上の位置合わせマーク（５１）をさらに有する（図４）。位置合わせマーク（５１）は、例えば胸骨柄、胸骨または剣状突き出し等の参考箇所との合わせに用いられる。センサー（４０〜５０）は検出ユニット（３０）の所定位置に設けられており、筋肉の状態を測定する。
【０００８】
図２、６〜９に示すように、ディスプレー（１２）のスクリーン（１５）は、少なくとも二つのエリア（１６、１７）を有する。第一エリア（１６）は、画像（１８、１９）を表示する。画像（１８、１９）は、腰部（８０）の運動の姿勢に対応する筋肉の電位の基準値を表す。画像（１８、１９）に表れた情報は、すでにテストおよび校正を経た情報であり、コンピュータ装置（１０）内に記憶されている情報である。画像（１８、１９）は、異なる色および光度、点線、明暗差またはブライトネス（ｂｒｉｇｈｔｎｅｓｓ）等を用いて筋肉の電位情報を表す。スクリーン（１５）の第二エリア（１７）は、画像（２０、２１）を表示する（図２、６）。画像（２０、２１）は腰部（８０）の運動の姿勢に対応する筋肉の電位の測定値を表す。センサー（４０〜５０）により検出された信号は、コンピュータ装置（１０）の中央処理装置（１１）により処理され、ディスプレー（１２）のスクリーン（１５）の第二エリア（１７）の画像（２０、２１）として表示される。画像（２０、２１）は、異なる色および光度、点線、明暗差またはブライトネス等を用いて筋肉の電位情報を表す。
【０００９】
図７〜９に示すように、スクリーン（１５）の第二エリア（１７）は、使用者（８）の運動の姿勢を表すことができる。図７は仰向け上体起こしの状態を表し、図８は仰向け足上げの状態を表し、図９は背筋立ての状態を表す。筋肉の情報はスクリーン（１５）の左または第一エリア（１６）に表れる。図７〜９に表れていない他の運動の姿勢も予めテストまたは校正を経て予めコンピュータ装置（１０）内に記憶され、運動の姿勢の基準値とする。
【００１０】
図４〜５に示すように、使用者（８）は一つ以上の検出ユニット（３０）を体に取り付け、位置合わせマーク（５１）を使用者（８）の体の参考個所に合わせる。センサー（４０〜５０）を検出ユニット（３０）の所定位置に設置すれば、測定したい筋肉の状態を測定することができる。図２に示すように、使用者（８）は運動する筋肉または運動の姿勢を選ぶことができ、それをスクリーン（１５）の下側または他の予定エリア（２２）に表示することができる。運動の姿勢はスクリーン（１５）の第二エリア（１７）に表される。
【００１１】
図２、６に示すように、使用者（８）が運動している場合、スクリーン（１５）の第二エリア（１７）内の画像（２０、２１）は使用者（８）の運動中の状態を表し、使用者（８）はスクリーン（１５）の第二エリア（１７）の画像（２０、２１）と第一エリア（１６）の画像（１８、１９）を比較し、運動の姿勢を調整することができる。
【符号の説明】
【００１２】
１１・・・中央処理装置、
１５・・・スクリーン、
３０・・・検出ユニット、
４０〜５０・・・センサ。
【図１】
0003181547.tif 000003
【図２】
0003181547.tif 000004
【図３】
0003181547.tif 000005
【図４】
0003181547.tif 000006
【図５】
0003181547.tif 000007
【図６】
0003181547.tif 000008
【図７】
0003181547.tif 000009
【図８】
0003181547.tif 000010
【図９】
0003181547.tif 000011